(57)【要約】      （修正有）【課題】色、照度を容易に調製できる目視検査用照明装置を提供する。【解決手段】複数個のフルカラーＬＥＤからなる光源１３と、フルカラーＬＥＤの三原色比率を記憶する記憶部と、操作部１１とを備え、検査対象物に光を照射する照明器具３と、フルカラーＬＥＤの三原色比率を調整する色調整部と、色調整部により調整した三原色比率を記憶する記憶部とを備え、色調整部により調整した三原色比率を照明器具に出力する制御部５と、を具備する。【選択図】図１
2018159680.tif 000002
【特許請求の範囲】
【請求項１】
複数個のフルカラーＬＥＤからなる光源と、上記フルカラーＬＥＤの三原色比率を記憶する記憶部と、操作部と、を備え、検査対象物に光を照射する照明器具と、
上記フルカラーＬＥＤの三原色比率を調整する色調整部と、上記色調整部により調整した三原色比率を記憶する記憶部と、を備え、上記色調整部により調整した三原色比率を上記照明器具に出力する制御部と、
を具備したことを特徴とする目視検査用照明装置。
【請求項２】
請求項１記載の目視検査用照明装置において、
上記色調整部はカラーパレットを使用するものであることを特徴とする目視検査用照明装置。
【請求項３】
請求項２記載の目視検査用照明装置において、
上記色調整部はカラーパレットと三原色毎に別々に設けられた調整釦とから構成されているものであることを特徴とする目視検査用照明装置。
【請求項４】
請求項１〜請求項３の何れかに記載の目視検査用照明装置において、
上記照明器具は操作部による操作により記憶部に記憶されている三原色比率を選択しその選択された三原色比率で上記光源に光を出力させるものであることを特徴とする目視検査用照明装置。
【請求項５】
請求項１〜請求項４の何れかに記載の目視検査用照明装置において、
上記制御部の記憶部には複数種類の三原色比率が記憶されることを特徴とする目視検査用照明装置。
【請求項６】
請求項１〜請求項５の何れかに記載の目視検査用照明装置において、
上記照明器具の記憶部には複数種類の三原色比率が記憶されることを特徴とする目視検査用照明装置。
【請求項７】
請求項１〜請求項６の何れかに記載の目視検査用照明装置において、
上記制御部には照度を調整する制御部側照度調整部が設けられていることを特徴とする目視検査用照明装置。
【請求項８】
請求項１〜請求項７の何れかに記載の目視検査用照明装置において、
上記照明器具には照度を調整する照明器具側照度調整部が設けられていることを特徴とする目視検査用照明装置。
【発明の詳細な説明】
【技術分野】
【０００１】
本発明は、例えば、製品の表面の目視での検査に用いる目視検査用照明装置に係り、特に、色、照度を容易に調製できるように工夫したものに関する。
【背景技術】
【０００２】
従来の目視検査用照明装置の構成を開示するものとして、例えば、特許文献１がある。
特許文献１に記載された外観検査用照明装置及び外観検査装置には、光源として複数の蛍光灯がある。これら蛍光灯から発せられる光を散乱板と平行光抽出部材に通して平行光を抽出し、この平行光を集光レンズによって収束して、被検査基板に照射している。上記被検査基板に照射された光の反射を作業者が目視で確認することにより、上記被検査基板の表面に、例えば、傷があるか否かを検査する。
【０００３】
上記構成によると、光源として蛍光灯を使用しているため、発熱が大きい、振動に弱い、電力量が大きい、等の課題があった。また、作業者の視力や検査を行う環境、被検査基板の色、材質等によって、検査を行い易い光の照度や色が異なるにもかかわらずその調整が困難であるという問題があった。
【０００４】
そこで、光源として発光ダイオード（以下、ＬＥＤという）を使用した照明装置の使用が提案されている。そのような照明装置の構成を開示するものとして、例えば、特許文献２がある。この特許文献２に記載されたＬＥＤ照明器は概略次のような構成をなしている。
【０００５】
まず、上記ＬＥＤ照明器は、ハウジング内に赤色ＬＥＤ、青色ＬＥＤ、及び、緑色ＬＥＤが設置されており、これら赤色ＬＥＤ、青色ＬＥＤ、及び、緑色ＬＥＤから発せられた光が集光レンズと偏向プリズムを介して上記ハウジング外部に発せられる。上記赤色ＬＥＤ、青色ＬＥＤ、及び、緑色ＬＥＤから発せられた光は、上記集光レンズによって一か所で重合し、上記赤色ＬＥＤ、青色ＬＥＤ、及び、緑色ＬＥＤの色が混合された光が得られる。
【０００６】
また、上記ＬＥＤ照明器には制御ユニットがあり、この制御ユニットによって上記赤色ＬＥＤ、青色ＬＥＤ、及び、緑色ＬＥＤの光の強度を制御され、上記混合された光の色や照度を変化させる。上記ＬＥＤ照明器は、例えば、電子部品実装機の画像認識機構部分に組み込まれ、この画像認識機構部分からの信号により、上記赤色ＬＥＤ、青色ＬＥＤ、及び、緑色ＬＥＤの光の強度を適宜変更するようになっている。
【先行技術文献】
【特許文献】
【０００７】
【特許文献１】特開２００９−１６８６５３号公報
【特許文献２】特開平１０−２１７０３号公報
【発明の概要】
【発明が解決しようとする課題】
【０００８】
上記従来の構成によると、次のような問題があった。
すなわち、特許文献２に記載されたＬＥＤ照明器によると、光源として赤色ＬＥＤ、青色ＬＥＤ、及び、緑色ＬＥＤを使用しているので、例えば、作業者の視力や検査を行う環境、被検査基板の色、材質等によって、検査を行い易い光の色や照度の調整も可能になったが、その作業は決して容易なものではなく、その改良が要求されていた。
【０００９】
本発明はこのような点に基づいてなされたものでその目的とするところは、色、照度を容易に調製できる目視検査用照明装置を提供することにある。
【課題を解決するための手段】
【００１０】
上記目的を達成するべく本願発明の請求項１による目視検査用照明装置は、複数個のフルカラーＬＥＤからなる光源と、上記フルカラーＬＥＤの三原色比率を記憶する記憶部と、操作部と、を備え、検査対象物に光を照射する照明器具と、上記フルカラーＬＥＤの三原色比率を調整する色調整部と、上記色調整部により調整した三原色比率を記憶する記憶部と、を備え、上記色調整部により調整した三原色比率を上記照明器具に出力する制御部と、を具備したことを特徴とするものである。
又、請求項２による目視検査用照明装置は、請求項１記載の目視検査用照明装置において、上記色調整部はカラーパレットを使用するものであることを特徴とするものである。
又、請求項３による目視検査用照明装置は、請求項２記載の目視検査用照明装置において、上記色調整部はカラーパレットと三原色毎に別々に設けられた調整釦とから構成されている物であることを特徴とするものである。
又、請求項４による目視検査用照明装置は、請求項１〜請求項３の何れかに記載の目視検査用照明装置において、上記照明器具は操作部による操作により記憶部に記憶されている三原色比率を選択しその選択された三原色比率で上記光源に光を出力させるものであることを特徴とするものである。
又、請求項５による目視検査用照明装置は、請求項１〜請求項４の何れかに記載の目視検査用照明装置において、上記制御部の記憶部には複数種類の三原色比率が記憶されることを特徴とするものである。
又、請求項６による目視検査用照明装置は、請求項１〜請求項５の何れかに記載の目視検査用照明装置において、上記照明器具の記憶部には複数種類の三原色比率が記憶されることを特徴とするものである。
又、請求項７による目視検査用照明装置は、請求項１〜請求項６の何れかに記載の目視検査用照明装置において、上記制御部には照度を調整する制御部側照度調整部が設けられていることを特徴とするものである。
又、請求項８による目視検査用照明装置は、請求項１〜請求項７の何れかに記載の目視検査用照明装置において、上記照明器具には照度を調整する照明器具側照度調整部が設けられていることを特徴とするものである。
【発明の効果】
【００１１】
以上述べたように本願発明の請求項１による目視検査用照明装置によると、複数個のフルカラーＬＥＤからなる光源と、上記フルカラーＬＥＤの三原色比率を記憶する記憶部と、操作部と、を備え、検査対象物に光を照射する照明器具と、上記フルカラーＬＥＤの三原色比率を調整する色調整部と、上記色調整部により調整した三原色比率を記憶する記憶部と、を備え、上記色調整部により調整した三原色比率を上記照明器具に出力する制御部と、を具備したので、色、照度を容易に調製できる。
又、請求項２による目視検査用照明装置によると、請求項１記載の目視検査用照明装置において、上記色調整部はカラーパレットを使用するものであるので、簡易な操作により色を更に容易に調製できる。
又、請求項３による目視検査用照明装置によると、請求項２記載の目視検査用照明装置において、上記色調整部はカラーパレットと三原色毎に別々に設けられた調整釦とから構成されている物であるので、色を容易に微調製できる。
又、請求項４による目視検査用照明装置によると、請求項１〜請求項３の何れかに記載の目視検査用照明装置において、上記照明器具は操作部による操作により記憶部に記憶されている三原色比率を選択しその選択された三原色比率で上記光源に光を出力させるものであるので、簡易な操作により色を更に容易に調製できる。
又、請求項５による目視検査用照明装置によると、請求項１〜請求項４の何れかに記載の目視検査用照明装置において、上記制御部の記憶部には複数種類の三原色比率が記憶されるので、簡易な操作により色を更に容易に調製できる。
又、請求項６による目視検査用照明装置によると、請求項１〜請求項５の何れかに記載の目視検査用照明装置において、上記照明器具の記憶部には複数種類の三原色比率が記憶されるので、簡易な操作により更に色を容易に調製できる。
又、請求項７による目視検査用照明装置によると、請求項１〜請求項６の何れかに記載の目視検査用照明装置において、上記制御部には照度を調整する制御部側照度調整部が設けられているので、上記制御部側において簡易な操作により照度を更に容易に調製できる。
又、請求項８による目視検査用照明装置によると、請求項１〜請求項７の何れかに記載の目視検査用照明装置において、上記照明器具には照度を調整する照明器具側照度調整部が設けられているので、上記照明器具側において簡易な操作により照度を更に容易に調製できる。
【図面の簡単な説明】
【００１２】
【図１】本発明の一実施の形態を示す図で、目視検査用照明装置の全体図である。
【図２】本発明の一実施の形態を示す図で、照明器具の機能ブロック図である。
【図３】本発明の一実施の形態を示す図で、図１のＩＩＩ部の拡大図である。
【図４】本発明の一実施の形態を示す図で、照明器具の発光部の回路図である。
【図５】本発明の一実施の形態を示す図で、制御部の機能ブロック図である。
【図６】本発明の一実施の形態を示す図で、制御部の表示部に表示される操作用インターフェース画面を示す図である。
【図７】本発明の一実施の形態を示す図で、照明器具の情報処理を示すフローチャートである。
【図８】本発明の一実施の形態を示す図で、制御部の情報処理を示すフローチャートである。
【発明を実施するための形態】
【００１３】
以下、図１乃至図８を参照して本発明の一実施の形態について説明する。本実施の形態による目視検査用照明装置１は、図１に示すように、照明器具３と、制御部としてのスマートフォン５と、から構成されている。
まず、上記照明器具３の構成の概要について説明する。上記照明器具３には、図１に示すように、筐体７がある。この筐体７の図１中下端側はグリップ部９となっている。上記グリップ部９の図１中上側には操作部１１が設置されており、この操作部１１の図１中上側には光源としての発光部１３が設置されている。
また、上記筐体７の表面には、例えば、ゴム製の図示しない保護部材が設置され、図示しない検査対象物に傷をつけないようにしている。
【００１４】
また、図２に示すように、上記照明器具３の上記筐体７内には、ＣＰＵ１５、記憶部としてのメモリ１７、ドライバ１９、通信部２１、電源部２３が設置されている。
上記メモリ１７には、上記発光部１３の発光の色と照度のデータ（以下、ＲＧＢデータ）が記憶されている。このＲＧＢデータは、光の３原色のうちの赤色に対応するＲデータと、緑色に対応するＧデータと、青色に対応するＢデータとから構成されている。
上記ドライバ１９は上記ＣＰＵ１５の指示により上記発光部１３を発光させる。上記ＣＰＵ１５は上記操作部１１の操作に基づき、上記メモリ１７から上記ＲＧＢデータを読み出し、上記ドライバ１９を介して上記発光部１３を上記ＲＧＢデータに基づき制御する。また、上記操作部１１の操作に基づき、上記発光部１３の照度のみを変更する制御も行われる。
【００１５】
また、上記通信部２１は、上記スマートフォン５と上記ＲＧＢデータの送受信を行う。上記ＣＰＵ１５により、上記通信部２１を介して、上記スマートフォン５から受信されたＲＧＢデータをメモリ１７に記憶する処理や、上記メモリ１７に記憶されたＲＧＢデータを上記スマートフォン５に送信する処理も行われる。
上記電源部２３は、例えば、上記筐体７に内装されたリチウムイオン電池であり、上記照明器具３に電力の供給を行う。また、外部から電源を供給されることで、上記照明器具３に電力を供給すると共に、上記リチウムイオン電池の充電を行うこともできるようになっている。
【００１６】
次に、上記操作部１１の詳細な構成について図３を参照して説明する。
上記操作部１１にはメモリ読出操作部２５がある。このメモリ読出操作部２５には、メモリ読出釦２５ａ、２５ｂ、２５ｃ、２５ｄ、２５ｅがある。上記メモリ読出釦２５ａ〜２５ｅが操作されると、上記メモリ１７に記憶されたＲＧＢデータから上記メモリ読出釦２５ａ〜２５ｅの何れかに対応したＲＧＢデータが選択され、このＲＧＢデータに基づいて、上記発光部１３が発光される。
【００１７】
また、上記メモリ読出釦２５ａ〜２５ｅには、それぞれ、図示しないＬＥＤが設置されている。この図示しないＬＥＤが点灯することで、上記メモリ読出釦２５ａ〜２５ｅに対応するＲＧＢデータが上記メモリ１７に記憶されていることが示され、上記図示しないＬＥＤが点滅することで上記メモリ読出釦２５ａ〜２５ｅに対応するＲＧＢデータの何れかが選択されていることが示され、そのＲＧＢデータに基づき上記発光部１３が発光されていることが示される。
また、上記メモリ読出釦２５ａ〜２５ｅの図３中左側にはラベル貼り付け部２６ａ〜２６ｅが設けられており、例えば、上記メモリ読出釦２５ａ〜２５ｅに対応した発光色を示す図示しないラベルを貼り付けることができるようになっている。
【００１８】
また、上記操作部１１には、照明器具側照度調整部としての、照度減少釦２７ａ、照度増加釦２７ｂが設置されている。上記照度減少釦２７ａが操作されると、現在選択されているＲＧＢデータのＲデータ、Ｇデータ、Ｂデータが上記発光部１３の発光の色相が変化せず照度だけが減少するように補正されることで上記発光部１３の照度が下がり、上記照度増加釦２７ｂが操作されると、現在選択されているＲＧＢデータのＲデータ、Ｇデータ、Ｂデータが上記発光部１３の発光の色相が変化せず照度だけが増加するように補正されることで上記発光部１３の照度が上がるように構成されている。
【００１９】
また、上記操作部１１には、電源スイッチ２９が設置されている。この電源スイッチ２９は、例えば、波動スイッチであり、スイッチ操作部材３１が上記筐体７の正面側（図３中紙面垂直方向手前側）に露出されている。このスイッチ操作部材３１の図３中右側を押圧操作して図３中右側が紙面垂直方向奥側に傾斜した状態で、上記照明器具３の電源が「ＯＦＦ」となり、上記スイッチ操作部材３１の図３中左側を押圧操作して図３中左側が紙面垂直方向奥側に傾斜した状態で、上記照明器具３の電源が「ＯＮ」となるように構成されている。
【００２０】
次に、上記発光部１３の詳細な構成について説明する。
図４に示すように、上記発光部１３には、複数個（この一実施の形態の場合は１７６個）のフルカラーＬＥＤ３３が設置されている。このフルカラーＬＥＤ３３には、緑色ＬＥＤ３５ａ、赤色ＬＥＤ３５ｂ、青色ＬＥＤ３５ｃが設置されており、これら緑色ＬＥＤ３５ａ、赤色ＬＥＤ３５ｂ、青色ＬＥＤ３５ｃの明るさを制御することによって、上記フルカラーＬＥＤ３３が様々な色や照度で発光するようになっている。
【００２１】
次に、制御部としてのスマートフォン５の詳細な構成について説明する。
図５に示すように、上記スマートフォン５には、表示部３７、操作部３９、記憶部としてのメモリ４１、ＣＰＵ４３、通信部４５、電源部４７がある。
【００２２】
上記表示部３７は、例えば、液晶パネルであり、図７に示すような操作用インターフェース画面５１が表示される。この操作用インターフェース画面５１には、カラーパレット５３、Ｒ微調整釦５５ａ、Ｇ微調整釦５５ｂ、Ｂ微調整釦５５ｃ、照度減少釦５７ａ、照度増加釦５７ｂ、メモリ選択釦５９ａ、５９ｂ、５９ｃ、５９ｄ、５９ｅ、データ送信・書込釦６１、データ受信・読出釦６３が表示されている。
上記操作部３９は上記表示部３７の表面側に重ねて設置された、例えば、静電容量方式のタッチパネルであり、上記操作用インターフェース画面５１に表示された各釦に対応した位置を、使用者が、例えば、指で操作すると、上記ＣＰＵ４３に対して指示が行われるものである。
【００２３】
上記メモリ４１には、例えば、５つのＲＧＢデータを一つの組としたデータが記憶されているとともに、後述する操作によりＲＧＢデータを変更する際に、上記５つのＲＧＢデータのうちの任意に選択された１つのＲＧＢデータが保存される一時作業領域が設けられている。また、上記５つのＲＧＢデータの組が複数記憶されるようになっており、複数の上記５つのＲＧＢデータの組の内の任意の組を選択できるようになっている。
上記ＣＰＵ４３は上記操作部３９の操作に基づいて動作される。すなわち、上記操作部３９の上記メモリ選択釦５９ａ、５９ｂ、５９ｃ、５９ｄ、５９ｅに対応する部分のタップ操作により、上記５つのＲＧＢデータのうちの任意の１つが選択され、上記一時作業領域に複製され、照度や色の変更対象のＲＧＢデータ（以下、編集用ＲＧＢデータという）として保持される。上記カラーパレット５３のタップ操作やスライド操作により、上記編集用ＲＧＢデータが上記カラーパレット５３上の任意の色に変更される。
なお、上記カラーパレット５３は、ドーナツ形状を周方向に分割した色相環として構成されている。
【００２４】
また、上記編集用ＲＧＢデータのＲデータ、Ｇデータ、Ｂデータのそれぞれを微調整することもできるようになっている。すなわち、上記操作部３９のＲ微調整釦５５ａに対応する位置から図７中上方向へのスライド操作により上記編集用ＲＧＢデータのＲデータが増加され、図７中下方向へのスライド操作により上記編集用ＲＧＢデータのＲデータが減少される。また、上記操作部３９のＧ微調整釦５５ｂに対応する位置から図７中上方向へのスライド操作により上記編集用ＲＧＢデータのＧデータが増加され、図７中下方向へのスライド操作により上記編集用ＲＧＢデータのＧデータが減少される。また、上記操作部３９のＢ微調整釦５５ｃに対応する位置から図７中上方向へのスライド操作により上記編集用ＲＧＢデータのＢデータが増加され、図７中下方向へのスライド操作により上記編集用ＲＧＢデータのＢデータが減少される。すなわち、上記操作部３９の上記カラーパレット５３に対応する部分や、Ｒ微調整釦５５ａ、Ｇ微調整釦５５ｂ、Ｂ微調整釦５５ｃに対応する部分が色調整部として構成されている。
【００２５】
また、上記操作部３９の照度減少釦５７ａ、照度増加釦５７ｂに対応する位置のタップ操作により、上記編集用ＲＧＢデータの照度が増減される。すなわち、上記編集用ＲＧＢデータのＲデータ、Ｇデータ、Ｂデータが上記照明器具３の発光部１３の発光の色相が変化せず照度だけが変化するように増減される。すなわち、上記操作部３９の照度減少釦５７ａ、照度増加釦５７ｂに対応する位置が制御部側照度調整部として構成されている。
上記操作部３９の操作により編集用ＲＧＢデータの変更が行われると、上記通信部４５を介して上記編集用ＲＧＢデータが照明器具３側に送信され、照明器具３の発光部１３が上記編集用ＲＧＢデータに基づいて発光される。これにより、上記スマートフォン５を用いて上記照明器具３の発光部１３の発光を確認しながら上記編集用ＲＧＢデータを変更できるようになっている。
【００２６】
また、上記操作部３９の上記メモリ選択釦５９ａ、５９ｂ、５９ｃ、５９ｄ、５９ｅの何れかに対応する位置が長押し操作されると、操作箇所に応じて上記メモリ４１の上記メモリ選択釦５９ａ、５９ｂ、５９ｃ、５９ｄ、５９ｅに対応する５つのＲＧＢデータの何れかが上記編集用ＲＧＢデータによって上書きされて保存される。
【００２７】
また、上記操作部３９の上記データ送信・書込釦６１に対応する位置がタップ操作されると、上記メモリ４１の５つのＲＧＢデータが上記通信部５４を介して上記スマートフォン５から上記照明器具３に送信され、上記照明器具３のメモリ１７に記憶される。
また、上記操作部３９の上記データ受信・読出釦６３に対応する位置がタップ操作されると、上記照明器具３のメモリ１７の５つのＲＧＢデータが上記通信部５４を介して上記スマートフォン５によって受信され、上記スマートフォン５のメモリ４１に記憶される。
【００２８】
また、上記スマートフォン５は上記ＲＧＢデータを他のスマートフォン５に送信することもできるようになっており、これにより、複数のスマートフォン５間で同じＲＧＢデータを共有することができるようになっている。
また、上記スマートフォン５を用いて、複数の照明器具３に対して同じＲＧＢデータを送信し記憶させることや、複数の照明器具３のそれぞれに対して別のＲＧＢデータを送信し記憶させることができるようになっている。
【００２９】
上記電源部４７には、例えば、上記スマートフォン５に内装されたリチウムイオン電池があり、上記スマートフォン５に電力の供給を行う。また、外部から電源を供給されることで、上記スマートフォン５に電力を供給すると共に、上記リチウムイオン電池の充電を行うこともできるようになっている。
【００３０】
次に、この一実施の形態の作用について説明する。
まず、照明器具３単体での使用について説明する。
初めに、電源スイッチ２９を操作して、上記照明器具３の電源を入れる。
次に、メモリ読出釦２５ａ〜２５ｅの何れかを操作し、メモリ１７に記憶されたＲＧＢデータの何れか１つを選択し、そのＲＧＢデータに基づいて発光部１３を発光させる。
【００３１】
次に、上記照明器具３によって、図示しない被検査対象物に上記発光部１３の光を照射し、上記図示しない被検査対象物からの反射光を目視して、上記図示しない被検査対象物の表面の状態（例えば、傷の有無等）を検査する。
なお、その光では検査しづらい場合は、メモリ読出釦２５ａ〜２５ｅの何れかを操作し別のＲＧＢデータに切り換えるか、照度減少釦２７ａ、照度増加釦２７ｂを操作して照度を変更する。
【００３２】
次に、スマートフォン５による上記照明器具３の制御について説明する。
まず、データ受信・読出釦６３をタップ操作し、上記照明器具３から５つのＲＧＢデータを読み出す。
【００３３】
次に、メモリ選択釦５９ａ、５９ｂ、５９ｃ、５９ｄ、５９ｅのいずれかをタップ操作し、上記５つのＲＧＢデータのうちの任意の一つのＲＧＢデータを編集用ＲＧＢデータとして選択し、この編集用ＲＧＢデータを一時作業領域に記憶させる。
次に、カラーパレット５３をタップ操作又はスライド操作し、このカラーパレット５３上の選択した位置における色を上記編集用ＲＧＢデータに設定する。
なお、必要に応じて、Ｒ微調整釦５５ａ、Ｇ微調整釦５５ｂ、Ｂ微調整釦５５ｃを操作し、上記編集用ＲＧＢデータを微調整する。
次に、照度減少釦５７ａ、照度増加釦５７ｂを操作し、上記編集用ＲＧＢデータの照度を調製する。
なお、上記カラーパレット５３、Ｒ微調整釦５５ａ、Ｇ微調整釦５５ｂ、Ｂ微調整釦５５ｃ、照度減少釦５７ａ、照度増加釦５７ｂの操作は、どのような順番で行ってもよい。
また、上記操作中に上記編集用ＲＧＢデータは照明器具３に送信されており、上記操作により上記編集用ＲＧＢデータが変更されると、上記照明器具３の発光部１３が上記編集用ＲＧＢデータに基づいて発光される。これにより、実際の上記照明器具３による発光を確認しながら、上記編集用ＲＧＢデータの変更を行う。
【００３４】
次に、上記メモリ選択釦５９ａ、５９ｂ、５９ｃ、５９ｄ、５９ｅの何れかを長押しし、上記５つのＲＧＢデータのうちの操作された箇所に対応するＲＧＢデータを上記編集用ＲＧＢデータで上書きして記憶させる。
必要であれば、上記メモリ選択釦５９ａ、５９ｂ、５９ｃ、５９ｄ、５９ｅのタップ操作による編集用ＲＧＢデータの選択、カラーパレット５３のタップ操作又はスライド操作による編集用ＲＧＢデータの変更、Ｒ微調整釦５５ａ、Ｇ微調整釦５５ｂ、Ｂ微調整釦５５ｃによる上記編集用ＲＧＢデータの微調整、照度減少釦５７ａ、照度増加釦５７ｂによる上記編集用ＲＧＢデータの照度の調製、及び、上記メモリ選択釦５９ａ、５９ｂ、５９ｃ、５９ｄ、５９ｅの長押しによる編集用ＲＧＢデータの記憶を繰り返し行う。
【００３５】
次に、データ送信・書込釦６１をタップ操作し、上記スマートフォン５から上記照明器具３へ５つのＲＧＢデータを送信し、上記照明器具３に上記５つのＲＧＢデータを記憶させる。
以上の操作により、上記スマートフォン５にて設定したＲＧＢデータを上記照明器具３に記憶させ使用することができるようになる。
【００３６】
次に、上記作用を確認する意味で、照明器具３、制御部５の情報処理の内容を、図７、図８のフローチャートを参照して説明する。
まず、上記照明器具３における情報処理を図７のフローチャートを参照して説明する。
上記照明器具３に電源が投入されると、ステップＳ１において初期化処理が行われる。この初期化処理では、上記通信部２１の上記スマートフォン５に対する通信回線の確立等が行われる。
次に、ステップＳ２に移行し、上記メモリ読出釦２５ａ〜２５ｅが押されたか否かが判別される。上記メモリ読出釦２５ａ〜２５ｅが押されたと判別された場合は、ステップＳ３に移行し、上記メモリ読出釦２５ａ〜２５ｅのうちの押された釦に対応するＲＧＢデータに基づいて上記発光部１３が発光され、上記メモリ読出釦２５ａ〜２５ｅのうちの押された釦の図示しないＬＥＤが点滅される。
上記ステップＳ３の処理を終えた場合、又は、上記ステップＳ２の処理において上記メモリ読出釦２５ａ〜２５ｅが押されていないと判別された場合は、ステップＳ４に移行する。
【００３７】
上記ステップＳ４では、上記照度減少釦２７ａ、照度増加釦２７ｂが押されたか否かが判別される。上記照度減少釦２７ａ、照度増加釦２７ｂが押されたと判別された場合は、ステップＳ５に移行し、発光部１３の照度が増減される。
上記ステップＳ５の処理を終えた場合、又は、上記ステップＳ４の処理において上記照度減少釦２７ａ、照度増加釦２７ｂが押されていないと判別された場合は、ステップＳ６に移行する。
【００３８】
上記ステップＳ６では、上記スマートフォン５から「書込通信」があったか否かが判別される。上記スマートフォン５から「書込通信」があった場合は、ステップＳ７に移行し、上記スマートフォン５から受信したデータをメモリ１７に書き込む。
上記ステップＳ７の処理を終えた場合、又は、上記ステップＳ６の処理において「書込通信」がなかったと判別された場合は、ステップＳ８に移行する。
【００３９】
上記ステップＳ８では、上記スマートフォン５から「読出通信」があったか否かが判別される。上記スマートフォン５から「読出通信」があった場合は、ステップＳ９に移行し、上記スマートフォン５へＲＧＢデータを送信する。
上記ステップＳ９の処理を終えた場合、又は、上記ステップＳ８の処理において「読出通信」がなかったと判別された場合は、ステップＳ１０に移行する。
【００４０】
上記ステップＳ１０では、上記照明装置３の電源の電圧が所定の値以下になったか否かが判別される。上記照明装置３の電源の電圧が所定の値以下になった場合は、ステップＳ１１に移行し、上記メモリ読出釦２５ａ〜２５ｅの図示しないＬＥＤの全てを点滅させ、上記照明装置３の電源部２３、すなわち、リチウムイオンバッテリーの残存電力が少なくなったことを表示する。
上記ステップＳ１１の処理を終えた場合、又は、上記ステップＳ１０の処理において上記照明装置３の電源の電圧が所定の値以下になっていないと判別された場合は、ステップＳ２に移行し、これまでの処理を繰り返す。
【００４１】
次に、上記スマートフォン５における情報処理を図８のフローチャートを参照して説明する。
まず、上記スマートフォン５上で処理が開始されると、ステップＳ２１において初期化処理が行われる。この初期化処理では、上記通信部５４の上記照明器具３に対する通信回線の確立等が行われる。
次にステップＳ２２に移行し、操作部３９の照度減少釦５７ａや照度増加釦５７ｂに対応する位置がタップ操作されたか否かを判別する。上記操作部３９の照度減少釦５７ａや照度増加釦５７ｂに対応する位置がタップ操作されたと判別されれば、ステップＳ２３に移行し、上記編集用ＲＧＢデータの照度が増減される。
【００４２】
上記ステップＳ２３の処理を終了した場合、又は、上記ステップＳ２２において上記操作部３９の照度減少釦５７ａや照度増加釦５７ｂに対応する位置がタップ操作されなかったと判別されなかった場合は、ステップＳ２４に移行する。このステップＳ２４では、上記操作部３９のカラーパレット５３に対応する位置がタップ操作又はスライド操作されたか否かが判別される。上記操作部３９のカラーパレット５３に対応する位置がタップ操作又はスライド操作されたと判別されれば、ステップＳ２５に移行し、上記編集用ＲＧＢデータが上記カラーパレット５３のタップ操作又はスライド操作された位置に対応したＲＧＢデータに置換される。
【００４３】
上記ステップＳ２５の処理を終了した場合、又は、上記ステップＳ２４において上記操作部３９のカラーパレット５３に対応する位置がタップ操作又はスライド操作されなかったと判別されなかった場合は、ステップＳ２６に移行する。このステップＳ２６では、上記操作部３９のＲ微調整釦５５ａ、Ｇ微調整釦５５ｂ、Ｂ微調整釦５５ｃに対応する位置からのスライド操作が行われたか否かが判別される。上記操作部３９のＲ微調整釦５５ａ、Ｇ微調整釦５５ｂ、Ｂ微調整釦５５ｃに対応する位置からのスライド操作がされたと判別されれば、ステップＳ２７に移行し、上記メモリ４１の編集用ＲＧＢデータのＲデータ、Ｇデータ、Ｂデータがそれぞれ個別に増減される。
なお、図７中上側へのスライド操作では数値が増加し、図７中下側へのスライド操作では数値が減少するように設定されている。
【００４４】
上記ステップＳ２７の処理を終了した場合、又は、上記ステップＳ２６において上記操作部３９のＲ微調整釦５５ａ、Ｇ微調整釦５５ｂ、Ｂ微調整釦５５ｃに対応する位置からのスライド操作がされなかったと判別されなかった場合は、ステップＳ２８に移行する。
【００４５】
上記ステップＳ２８では、上記操作部３９のメモリ選択釦５９ａ、５９ｂ、５９ｃ、５９ｄ、５９ｅに対応する位置に入力があるか否かが判別される。上記操作部３９のメモリ選択釦５９ａ、５９ｂ、５９ｃ、５９ｄ、５９ｅに対応する位置に入力があると判別されれば、ステップＳ２９に移行する。
【００４６】
このステップＳ２９では、上記操作部３９のメモリ選択釦５９ａ、５９ｂ、５９ｃ、５９ｄ、５９ｅに対応する位置に入力が無くなったか否かが判別される。上記操作部３９のメモリ選択釦５９ａ、５９ｂ、５９ｃ、５９ｄ、５９ｅに対応する位置に入力が無くなったと判別した場合はステップＳ３０へ移行し、上記操作部３９のメモリ選択釦５９ａ、５９ｂ、５９ｃ、５９ｄ、５９ｅに対応する位置に入力が無くなったと判別されなかった場合は、上記ステップＳ２９の判別処理を繰り返す。
【００４７】
上記ステップＳ３０では、上記操作部３９のメモリ選択釦５９ａ、５９ｂ、５９ｃ、５９ｄ、５９ｅに対応する位置に入力があった時間が所定の時間を超えているか否か、すなわち上記操作部３９のメモリ選択釦５９ａ、５９ｂ、５９ｃ、５９ｄ、５９ｅに対応する位置が長押しされていたか否か判別される。上記操作部３９のメモリ選択釦５９ａ、５９ｂ、５９ｃ、５９ｄ、５９ｅに対応する位置が長押しされていたと判別された場合は、ステップＳ３１に移行し、上記メモリ選択釦５９ａ、５９ｂ、５９ｃ、５９ｄ、５９ｅのうちの操作された釦に対応するＲＧＢデータを上記編集用ＲＧＢデータで上書きして記憶する。上記操作部３９のメモリ選択釦５９ａ、５９ｂ、５９ｃ、５９ｄ、５９ｅに対応する位置が長押しされていたと判別されなかった場合は通常のタップ操作が行われたことになり、この場合はステップＳ３２に移行する。このステップＳ３２ではメモリ４１に記憶された５つのＲＧＢデータのうち、上記メモリ選択釦５９ａ、５９ｂ、５９ｃ、５９ｄ、５９ｅに対応するデータを読み出して上記メモリ４１の一時作業領域に複製し、編集用ＲＧＢデータとする。
【００４８】
上記ステップＳ２８で上記操作部３９のメモリ選択釦５９ａ、５９ｂ、５９ｃ、５９ｄ、５９ｅに対応する位置に入力があると判別されなかった場合や、上記ステップＳ３１又は上記ステップＳ３２の処理を終えた場合は、ステップＳ３３に移行する。
【００４９】
上記ステップＳ３３では、上記操作部３９のデータ送信・書込釦６１に対応する位置がタップ操作されたか否かが判別される。上記操作部３９のデータ送信・書込釦６１に対応する位置がタップ操作されたと判別されれば、ステップＳ３４に移行し、上記照明器具３に対して上記通信部５４を介して「書込通信」を行う。すなわち、上記メモリ４１の５つのＲＧＢデータが上記通信部５４を介して上記スマートフォン５から上記照明器具３に送信される。
【００５０】
上記ステップＳ３４の処理を終了した場合、又は、上記ステップＳ３３において上記操作部３９のデータ送信・書込釦６１に対応する位置がタップ操作されたと判別されなかった場合は、ステップＳ３５に移行する。
【００５１】
上記ステップＳ３５では、上記操作部３９のデータ受信・読出釦６３に対応する位置がタップ操作されたか否かが判別される。上記操作部３９のデータ受信・読出釦６３に対応する位置がタップ操作されたと判別されれば、ステップＳ３６に移行し、「読出処理」が行われる。すなわち、上記照明器具３に対して上記通信部５４を介して「読出通信」を行い、これに対して上記照明器具３から上記スマートフォン５に受信されたＲＧＢデータを上記メモリ４１に記憶する。
【００５２】
上記ステップＳ３６の処理を終了した場合、又は、上記ステップＳ３５において上記操作部３９のデータ受信・読出釦６３に対応する位置がタップ操作されたと判別されなかった場合は、上記ステップＳ２２に移行し、処理を繰り返す。
【００５３】
次に、この一実施の形態による効果について説明する。
まず、色、照度を容易に調整することができる。すなわち、照明器具３の操作部１１があり、この操作部１１によってメモリ１７に記憶されたＲＧＢデータによって発光部１３の色や照度を調整できるとともに、スマートフォン５によってＲＧＢデータを編集して上記照明器具３に送信し、上記照明器具３のメモリ１７にこのＲＧＢデータを記憶できるので、上記発光部１３の色や照度を容易に調製することができる。
また、上記スマートフォン５では、操作部３９のカラーパレット５３上の任意の位置に対応する位置をタップ操作又はスライド操作することで任意の色を設定するようになっているので、簡易な操作により色を更に容易に調製できる。
また、上記スマートフォン５の操作部３９のＲ微調整釦５５ａ、Ｇ微調整釦５５ｂ、Ｂ微調整釦５５ｃに対応する位置を操作することで、Ｒデータ、Ｇデータ、Ｂデータを個別に調整できるようになっているので、色の微調整も容易である。
また、上記照明器具３のメモリ１７に記憶されたＲＧＢデータを選択し、この選択されたＲＧＢデータに基づいて上記発光部１３を発光させるので、簡易な操作により上記発光部１３の色を容易に調製することができる。
また、上記照明器具３のメモリ１７には複数のＲＧＢデータが記憶されているので、更に簡易な操作により上記発光部１３の色を調整できる。
また、上記スマートフォン５のメモリ４１にも、複数のＲＧＢデータが記憶されているので、簡易な操作により上記発光部１３の色を調製することができる。
また、上記照明装置３には、照度減少釦２７ａ、照度増加釦２７ｂが設けられているので、上記照明装置３側で上記発光部１３の照度を容易に調製することができる。
また、上記スマートフォン５の操作部３９の照度減少釦５７ａ、照度増加釦５７ｂに対応する位置の操作により照度を調整できるので、上記スマートフォン５側での上記発光部１３の照度を調製も容易である。
【００５４】
尚、本発明は、前記一実施の形態に限定されるものではない。
制御部としては、スマートフォンの他、専用のコントローラ等が考えられる。
操作部としては、抵抗膜式タッチパネル等、様々な場合が考えられる。
操作用インターフェース画面には様々な場合が考えられる。
カラーパレットにも、格子上に色見本を配置したもの等、様々な場合が考えられる。
また、時間経過により編集用ＲＧＢデータのＲデータ、Ｇデータ、Ｂデータの組み合わせを自動的に変化させて、任意の色が出現した際に上記編集用ＲＧＢデータの変化を停止させ、その任意の色を選択する場合も考えられる。
その他、図示した構成はあくまで一例である。
【産業上の利用可能性】
【００５５】
本発明は、例えば、製品の表面の目視での検査に用いる目視検査用照明装置に係り、特に、色、照度を容易に調製できるように工夫したものに関し、例えば、建材の表面の検査に好適である。
【符号の説明】
【００５６】
１  目視検査用照明装置
３  照明器具
５  スマートフォン（制御部）
１１  操作部
１３  発光部（光源）
１７  メモリ（記憶部）
２７ａ  照度減少釦（照明器具側照度調整部）
２７ｂ  照度増加釦（照明器具側照度調整部）
３９  操作部（色調整部、調整釦、制御部側照度調整部）
４１  メモリ（記憶部）
５３  カラーパレット
【図１】
2018159680.tif 000003
【図２】
2018159680.tif 000004
【図３】
2018159680.tif 000005
【図４】
2018159680.tif 000006
【図５】
2018159680.tif 000007
【図６】
2018159680.tif 000008
【図７】
2018159680.tif 000009
【図８】
2018159680.tif 000010